【事件の表示】
　特願２００１−１５１６９３「携帯電話用の待受動画画面制御プログラム、携帯電話、待受動画画面制御プログラムを記憶した記憶媒体、及びサーバ」拒絶査定不服審判事件〔平成１５年　１月２４日出願公開、特開２００３−　２３５０７〕について、次のとおり審決する。
【結　論】
　本件審判の請求は、成り立たない。
【理　由】
１．手続の経緯・本願発明
　本願は，平成１３年５月２１日（優先権主張　平成１３年５月１日）に特許出願したものであって，特許請求の範囲の請求項２に係る発明（以下，「本願発明」という。）は，平成１９年５月２５日付け手続補正書により補正された明細書及び図面の記載からみて，その特許請求の範囲の請求項２に記載された以下のとおりのものと認める。
　
（本願発明）
　「待受け画面に対してアニメーション状の動画画像を表示する表示部を備えた携帯電話において，
　前記表示部を制御する表示制御回路と，
　電話番号若しくは各種機能の入力スイッチと，
　前記入力スイッチを制御する入力操作識別回路と，
　待受動画画面制御プログラム及び画像データが記憶されたメモリと，を有する制御手段と，
　前記入力スイッチからの電話番号入力を不可状態にする状態変更スイッチと，
を備え，
　前記制御手段は，
　前記状態変更スイッチが入力操作されると，電話番号入力を不可状態に状態を変更するとともに，前記入力スイッチの入力操作に応じた動画画像を生成し，当該生成した動画画像を前記表示部に表示することを特徴とする携帯電話。」
　
２．引用例
　これに対して，原査定の拒絶理由に引用された特開２００１−７８９５号公報（以下，「引用例」という。）には，「無線電話装置」の発明に関し，図面とともに以下の事項が記載されている。
　イ．「【０００１】
【発明の属する技術分野】本発明は，各種情報やキャラクタによる動画を画面に表示可能に構成される表示手段及び必要に応じて所定の楽音による旋律を発生させる旋律発生手段とを備えてなる無線電話装置に関する。」（２ページ右欄２行〜６行）
　ロ．「【０００４】
【発明が解決しようとする課題】しかしながら，上記した従来の携帯電話装置では，動画によるキャラクタの動作はメロディーの発生状態とは何の関連性もなく独立に行われているため，面白みにかけるという問題があった。
【０００５】本発明は上記事情に鑑みてなされたものであり，その目的は，表示手段に表示される動画をユーザがより楽しむことができる無線電話装置を提供することにある。」（２ページ右欄２３行〜３２行）
　ハ．「【００１６】
【発明の実施の形態】（第１実施例）以下，本発明の第１実施例について図１乃至図４を参照して説明する。図３は，携帯電話装置の外観を示す斜視図である。図３において，携帯電話装置（無線電話装置）１を構成する筐体２の正面部には，通話開始キー，通話終了キー，リダイヤルキー，「０」〜「９」の数字キー，＊（アスタリスク）キー，＃（シャープ）キーやスクロールキーなどの各種キーからなるキー操作部３，・・・（中略）・・・電話番号などを表示するディスプレイ（ＬＣＤ，表示手段）６などが設けられている。・・・（中略）・・・。
【００１７】図２は，携帯電話装置１の電気的構成を示す機能ブロック図である。図２において，携帯電話装置１は，マイクロコンピュータなどからなる制御回路（画面切替え制御手段）８を中心として構成されており，その制御回路８には，キー操作部３からの操作信号が与えられるようになっている。また，制御回路８は，ディスプレイ６における表示を制御するようになっている。
【００１８】（略）
【００１９】（略）
【００２０】制御回路８は，・・・（中略）・・・音源部１２の制御を行うようになっている。音源部１２は，着信音や設定したアラーム報知を行う場合などにメロディー（旋律）を発生させるものである。・・・（中略）・・・。
【００２１】一方，送受信部１１から制御回路８に対しては，着信信号の検出・・・（中略）・・・などの情報が与えられるようになっている。制御回路８には，ＲＡＭやＥＥＰＲＯＭなどからなる記憶部（記憶手段）１３が接続されており，制御回路８は，必要に応じて記憶部１３に対するデータの書込み及び読出しを行うようになっている。
【００２２】また，記憶部１３には，例えば，着信音を発生させる場合や，予め設定したメッセージアラームを報知させる場合等に応じて，音源部１２に夫々異なるメロディーを発生させるための複数のメロディーデータが記憶されている。そして，ユーザは，キー操作部３を操作することによって，それらのメロディーデータの内から着信時に発生させるメロディー，メッセージアラーム報知時に発生させるベーメロディー等を夫々選択して設定することができるようになっている。・・・（中略）・・・。
【００２３】更に，記憶部１３には，図４に示すように，ディスプレイ６に表示させるキャラクタ１５の画面データが，・・・（中略）・・・記憶されている。その画面データは，キャラクタ１５のポーズが僅かずつ異なるものが複数記憶されており，動画データを構成している。そして，制御回路８は，所定の処理を実行する際に適当なタイミングで動画データの画面を切り替えることによって，キャラクタ１５が連続的に動作しているような動画（アニメーション）表示を行うようになっている。」（３ページ右欄１１行〜４ページ左欄３４行）
　ニ．「【００２４】次に，本実施例の作用について図１をも参照して説明する。図１は，制御回路８が，音源部１２によって着信音などのメロディーを発生させる場合に，そのメロディー発生と同時にディスプレイ６の画面表示を制御する場合の制御内容を示すフローチャートである。尚，以降では，ディスプレイ６に表示される１画面のデータを“画面データ”，その“画面データ”によって動画が表現される画面データのまとまりを動画データ，動画を表現するために設定される画面データの表示順序及び表示時間のデータを動画表示データと称する。
【００２５】〜【００３７】（略）
【００３８】以上のように本実施例によれば，制御回路８は，ディスプレイ６によって表示されるキャラクタ１５の動画画面を，音源部１２によって発生されるメロディーのテンポに同期して切り替えるように制御するので，着信音のメロディーを発生させる場合に，キャラクタ１５がそのメロディーのリズムに合わせて恰も踊っているかのように動作する動画表示を行うことができ，ユーザは，そのキャラクタ１５の動作を見て楽しむことができる。」（４ページ左欄３５行〜５ページ右欄２５行）
　ホ．「【００４１】（第２実施例）図５乃至図７は，本発明の第２実施例を示すものである。第２実施例では，ユーザがオリジナルの動画表示データを作成する場合の一例を示すものであり，構成は第１実施例と基本的に同一である。図７は，制御回路８が動画表示データ作成処理を行う場合のフローチャートである。ユーザは，キー操作部（設定手段）３を操作して，メニューから動画表示データの作成を選択すると，先ず，動画として表示させたい画面データを選択する（ステップＡ１）。
【００４２】各画面データは，記憶部１３に複数（例えば１００）パターンが記憶されており，図５に示すように，各画面データには，“Ｄ００１”，“Ｄ００２”，“Ｄ００３”，…といったような番号が付されている。そして，ユーザは，キー操作部３のスクロールキーなどを操作して，各画面データをディスプレイ６に順次表示させて，所望の画面データを「確定」操作により選択する・・・（中略）・・・。
【００４３】・・・（中略）・・・続くステップＡ２において表示時間の設定を行う・・・（中略）・・・。ユーザが，キー操作部３の数字キーを操作して“１”を入力し「確定」操作すると，・・・（中略）・・・画面データを４分音符相当の時間だけ表示するように動画表示データが設定される。制御回路８は，その設定されたデータを記憶部１３に書き込んで記憶させる。
【００４４】（略）
【００４５】以降同様にして，例えば，図６に示すように，Ｄ００３＝０．５，Ｄ０６２＝０．５，Ｄ０３８＝１，Ｄ０１３＝１，…のようにユーザが順次入力を行い，ユーザが入力を終了させると制御回路８はステップＡ３で「ＹＥＳ」と判断して処理を終了する。
【００４６】以上のように第２実施例によれば，ユーザは，キー操作部３を操作して各画面データの表示順序を設定すると共に，各画面の表示時間を夫々設定することによって動画表示のバリエーションを作成することができるので，表示される動画を一層楽しむことができるようになる。」（５ページ右欄４３行〜６ページ左欄３７行）
　
　上記ハ．において，キー操作部３，制御回路８，及び記憶部１３は，全体として「制御手段」といえるから，上記イ〜ホの記載，及びこの分野の技術常識によれば，引用例には，以下の発明（以下，「引用発明」という。）が開示されているものと認められる。
「着信メロディーの発生時やアラーム報知時などに，ディスプレイ６に動画（アニメーション）表示を行うようにした携帯電話装置において，
　通話開始キー，通話終了キー，リダイヤルキー，「０」〜「９」の数字キーなどの各種キーからなるキー操作部３と，
　前記キー操作部３からの操作信号が与えられると共に，前記ディスプレイ６における表示を制御するマイクロコンピュータなどからなる制御回路８と，　
　ディスプレイ６に表示される動画表示の制御内容，及び着信発生時やアラーム報知時などにメロディーを発生させるためのメロディーデータ，及び動画表示データを記憶した記憶部１３と，を有する制御手段と，
を備え，
　前記制御手段は，
　ユーザがオリジナルの動画表示データを作成する場合，前記キー操作部３を操作して，メニューから動画表示データの作成を選択し，動画として表示させたい画面データを選択すると共に，キー操作部３の数字キーを操作して前記画面データの表示時間を設定し，設定した動画表示データを記憶部１３に記憶させ，着信メロディーの発生時，アラーム報知時などに，前記動画表示データを読み出してディスプレイ６に動画（アニメーション）表示を行うようにした携帯電話装置。」
　
３．対比
　本願発明と引用発明とを対比する。
　イ．引用発明は，「着信メロディーの発生時やアラーム報知時などに，ディスプレイ６に動画（アニメーション）表示を行うようにした携帯電話装置」であり，前記「ディスプレイ」は，「表示部」といえるから，表示部に表示するアニメーション状の動画画像を「待受け画面に対して」表示する点を除き，「アニメーション状の動画画像を表示する表示部を備えた携帯電話」である点で本願発明と一致する。
　ロ．引用発明は，「通話開始キー，通話終了キー，リダイヤルキー，「０」〜「９」の数字キーなどの各種キーからなるキー操作部３」を備え，前記「０」〜「９」の数字キーは，「電話番号の入力スイッチ」であることが技術常識であり，また，前記「通話開始キー，通話終了キー，リダイヤルキー」等は，「各種機能の入力スイッチ」といえるから，「電話番号若しくは各種機能の入力スイッチ」を備える点で本願発明と一致する。
　ハ．引用発明は，「前記ディスプレイ６における表示を制御するマイクロコンピュータなどからなる制御回路８」を備えるので，「前記表示部を制御する表示制御回路」を備える点で本願発明と一致する。
　また，前記「制御回路８」は，「前記キー操作部３からの操作信号が与えられると共に，前記ディスプレイ６における表示を制御する」ものであり，前記制御回路８が，キー操作部（入力スイッチ）の入力操作を識別する回路を備えることは自明であるので，「前記入力スイッチを制御する入力操作識別回路」を備える点で本願発明と一致する。
　ニ．引用発明は，「ディスプレイ６に表示される動画表示の制御内容，及び着信発生時やアラーム報知時などにメロディーを発生させるためのメロディーデータ，及び動画表示データを記憶した記憶部１３」を備え，ここで，前記「動画表示の制御内容」は，制御手段にとって，動画を画面上に表示するための手順が表された「動画画面制御プログラム」といえ，また，前記「動画表示データ」，及び「記憶部」は，それぞれ「画像データ」，及び「メモリ」といえるから，「動画画面制御プログラム及び画像データが記憶されたメモリ」を備える点で本願発明と一致する。
　ホ．引用発明は，「前記制御手段は，ユーザがオリジナルの動画表示データを作成する場合，前記キー操作部３を操作して，メニューから動画表示データの作成を選択し，動画として表示させたい画面データを選択すると共に，キー操作部３の数字キーを操作して前記画面データの表示時間を設定し，設定した動画表示データを記憶部１３に記憶させ，着信メロディーの発生時，アラーム報知時などに，前記動画表示データを読み出してディスプレイ６に動画（アニメーション）表示を行う」ものであるから，動画画像の生成の際，「状態変更スイッチが入力操作されると，電話番号入力を不可状態に状態を変更する」点を除き，「前記制御手段は，前記入力スイッチの入力操作に応じた動画画像を生成し，当該生成した動画画像を前記表示部に表示する」点で，本願発明と一致する。
　
　したがって，本願発明と引用発明は，以下の点で一致ないし相違する。
　
（一致点）
「アニメーション状の動画画像を表示する表示部を備えた携帯電話において，
　前記表示部を制御する表示制御回路と，
　電話番号若しくは各種機能の入力スイッチと，
　前記入力スイッチを制御する入力操作識別回路と，
　動画画面制御プログラム及び画像データが記憶されたメモリと，を有する制御手段と，
を備え，
　前記制御手段は，
　前記入力スイッチの入力操作に応じた動画画像を生成し，当該生成した動画画像を前記表示部に表示する携帯電話。」
　
（相違点１）
　本願発明は，表示部に表示するアニメーション状の動画画像を「待受け画面に対して」表示するのに対して，引用発明は，着信時やアラーム報知時などに表示し，「待受け画面に対して」表示する点については明示しない点。
（相違点２）　
　本願発明は，「入力スイッチからの電話番号入力を不可状態にする状態変更スイッチ」を備え，制御手段は，動画画像の生成の際，「前記状態変更スイッチが入力操作されると，電話番号入力を不可状態に状態を変更する」のに対して，引用発明は，これらの点について明示しない点。
　
４．判断
　そこで，まず，相違点１について検討する。
　特開２０００−１５６８８９号公報（段落０００２等参照），特開２０００−３４１３９２号公報（段落００２２，００３９等参照），特開２００１−６０４８号公報（請求項１５，２０等参照），国際公開国際公開第００／７０７９４号（２２ページ）に記載されているように，電話装置において，待受画面に対して動画を表示することは周知であるから，引用発明において，ディスプレイ６に動画（アニメーション）表示を行う際，該動画を待受画面に対して表示すること，すなわち，表示部に表示するアニメーション状の動画画像を「待受け画面に対して」表示することは，当業者が容易になし得ることである。
　次に，相違点２について検討する。
　特開２０００−５９４８８号公報（段落００２１，００２５等参照），特開平１１−１４６０３８号公報（段落００１５〜００１７等参照），特開平３−２１１９５４号公報（２ぺージ左上欄１３行〜右上欄１１行等参照）に記載されているように，電話帳機能，ゲーム機能，パソコン機能等，電話機能以外の機能を有する電話装置において，テンキー等の操作キーを，電話番号入力と前記電話機能以外の機能におけるデータ入力用として兼用すること，この兼用のために，モード選択スイッチや切替スイッチ等の状態変更スイッチを設け，該状態変更スイッチが操作されると前記操作キーからの電話番号入力を不可状態にすることは周知と認められる。
　上記周知技術によれば，引用発明において，「入力スイッチからの電話番号入力を不可状態にする状態変更スイッチ」を備えるものとし，制御手段は，動画画像の生成の際，「前記状態変更スイッチが入力操作されると，電話番号入力を不可状態に状態を変更する」ことは，当業者が容易になし得ることである。
　そして，本願発明の効果は，引用発明，及び周知技術から当業者が容易に予測し得るものであって，格別のものではない。
　
５．むすび
　以上のとおり，本願発明は，引用発明，及び周知技術に基づいて当業者が容易に発明をすることができたものと認められるから，特許法第２９条第２項の規定により特許を受けることができない。
　よって，結論のとおり審決する。